(57)【要約】    【課題】  内蔵時計に誤差がある場合においても、予約録画を行い、予約録画された番組を再生時に適切に表示することが可能な放送番組記録再生装置を提供する。    【解決手段】  予約録画開始時刻より早い時刻に録画を開始し、予約録画終了時刻より遅い時刻に録画が終了する。録画実行中にコマーシャル（ＣＭ）間、及びＣＭと番組本編との間の切り換わり位置を示すＣＭ境界の検出を行い、検出したＣＭ境界と録画予約で設定された録画開始時刻及び録画終了時刻を基に、ＣＭと番組本編との間のＣＭ境界を判定し、該判定したＣＭ境界のうち予約録画開始時刻に最も近いＣＭ境界に表示開始チャプタ境界情報を挿入し、予約録画終了時刻に最も近いＣＭ境界に表示終了チャプタ境界情報を挿入する。【選択図】  図１
2008060654.tif 000002
【特許請求の範囲】
【請求項１】
内蔵時計を有し、該内蔵時計が示す時刻を基に、予約された放送番組のデータストリームを記録媒体に記録する放送番組記録再生装置において、
設定された予約録画開始時刻より所定時間早い時刻に録画を開始する予約録画手段と、
前記予約録画手段による予約録画実行時に、録画対象のデータストリームに含まれるコマーシャルとコマーシャルとの切り換わり位置、及びコマーシャルと番組本編との切り換わり位置を示すＣＭ境界をそれぞれ検出するＣＭ境界検出手段と、
前記予約録画開始時刻に対応する位置に最も近い前記ＣＭ境界を番組本編開始位置と判断し、この位置が前記番組本編開始位置であることを示すチャプタ境界情報を前記データストリームに挿入する位置情報挿入手段と、
前記チャプタ境界情報が挿入されたデータストリームを記録する記録手段と、
を備えることを特徴とする放送番組記録再生装置。
【請求項２】
内蔵時計を有し、該内蔵時計が示す時刻を基に、予約された放送番組のデータストリームを記録媒体に記録する放送番組記録再生装置において、
設定された予約録画終了時刻より所定時間遅い時刻に録画を終了する予約録画手段と、
前記予約録画手段による予約録画実行時に、録画対象のデータストリームに含まれるコマーシャルとコマーシャルとの切り換わり位置、及びコマーシャルと番組本編との切り換わり位置を示すＣＭ境界をそれぞれ検出するＣＭ境界検出手段と、
前記予約録画終了時刻に対応する位置に最も近い前記ＣＭ境界を番組本編終了位置と判断し、この位置が前記番組本編終了位置であることを示すチャプタ境界情報を前記データストリームに挿入する位置情報挿入手段と、
前記チャプタ境界情報が挿入されたデータストリームを記録する記録手段と、
を備えることを特徴とする放送番組記録再生装置。
【請求項３】
内蔵時計を有し、該内蔵時計が示す時刻を基に、予約された放送番組のデータストリームを記録媒体に記録する放送番組記録再生装置において、
設定された予約録画開始時刻より所定時間早い時刻に録画を開始すると共に前記データストリーム内における前記予約録画開始時刻に対応する位置を示す時刻位置情報を記録する予約録画手段と、
前記予約録画手段によって録画されたデータストリームの再生時に、再生するデータストリームに含まれるコマーシャルとコマーシャルとの切り換わり位置、及びコマーシャルと番組本編との切り換わり位置を示すＣＭ境界をそれぞれ検出するＣＭ境界検出手段と、
前記時刻位置情報を読み出し、この読み出した時刻位置情報から得た前記予約録画開始時刻に対応する位置に最も近い前記ＣＭ境界を番組本編開始位置と判断し、この位置から再生画像の表示を開始する表示開始手段と、
を備えることを特徴とする放送番組記録再生装置。
【請求項４】
内蔵時計を有し、該内蔵時計が示す時刻を基に、予約された放送番組のデータストリームを記録媒体に記録する放送番組記録再生装置において、
設定された予約録画開始時刻より所定時間早い時刻に録画を開始すると共に前記データストリーム内における前記予約録画開始時刻に対応する位置を示す時刻位置情報を記録する予約録画手段と、
前記予約録画手段によって録画されたデータストリームの再生時に、再生するデータストリームに含まれるコマーシャルとコマーシャルとの切り換わり位置、及びコマーシャルと番組本編との切り換わり位置を示すＣＭ境界をそれぞれ検出するＣＭ境界検出手段と、
前記時刻位置情報を読み出し、この読み出した時刻位置情報から得た前記予約録画開始時刻に対応する位置に最も近い前記ＣＭ境界を番組本編開始位置と判断し、この位置が前記番組本編開始位置であることを示すチャプタ境界情報を前記記録媒体に記録する位置情報記録手段と、
を備えることを特徴とする放送番組記録再生装置。
【請求項５】
内蔵時計を有し、該内蔵時計が示す時刻を基に、予約された放送番組のデータストリームを記録媒体に記録する放送番組記録再生装置において、
設定された予約録画開始時刻より所定時間遅い時刻に録画を終了すると共に前記データストリーム内における前記予約録画終了時刻に対応する位置を示す時刻位置情報を記録する予約録画手段と、
前記予約録画手段によって録画されたデータストリームの再生時に、再生するデータストリームに含まれるコマーシャルとコマーシャルとの切り換わり位置、及びコマーシャルと番組本編との切り換わり位置を示すＣＭ境界をそれぞれ検出するＣＭ境界検出手段と、
前記時刻位置情報を読み出し、この読み出した時刻位置情報から得た前記予約録画終了時刻に対応する位置に最も近い前記ＣＭ境界を番組本編終了位置と判断し、この位置で再生画像の表示を終了する表示終了手段と、
を備えることを特徴とする放送番組記録再生装置。
【請求項６】
内蔵時計を有し、該内蔵時計が示す時刻を基に、予約された放送番組のデータストリームを記録媒体に記録する放送番組記録再生装置において、
設定された予約録画開始時刻より所定時間遅い時刻に録画を終了すると共に前記データストリーム内における前記予約録画終了時刻に対応する位置を示す時刻位置情報を記録する予約録画手段と、
前記予約録画手段によって録画されたデータストリームの再生時に、再生するデータストリームに含まれるコマーシャルとコマーシャルとの切り換わり位置、及びコマーシャルと番組本編との切り換わり位置を示すＣＭ境界をそれぞれ検出するＣＭ境界検出手段と、
前記時刻位置情報を読み出し、この読み出した時刻位置情報から得た前記予約録画終了時刻に対応する位置に最も近い前記ＣＭ境界を番組本編終了位置と判断し、この位置が前記番組本編終了位置であることを示すチャプタ境界情報を前記記録媒体に記録する位置情報記録手段と、
を備えることを特徴とする放送番組記録再生装置。
【発明の詳細な説明】
【技術分野】
【０００１】
本発明は、放送番組を記録媒体に予約録画すると共に、録画された放送番組を再生する放送番組記録再生装置に関する。
【背景技術】
【０００２】
放送番組記録再生装置は、一般的に内蔵する時計を参考にして、指定した時刻に録画を開始し、指定した時刻に録画を終了する予約録画機能を持っている。この予約録画機能を正しく動作させるためには、内蔵する時計の時刻が正しい時刻であることが必要である。
【０００３】
内蔵時計を自動的に補正することができる磁気記録再生装置が特許文献１に開示されている。この装置では、指定された時刻補正用放送局が発する時報により内蔵時計の補正が行われる。また、時刻補正用放送局指定の有無により、内蔵時計の時刻が正確であるかどうかが判定される。すなわち、時刻補正用放送局が指定されている場合は、内蔵時計の時刻が正確であると判定され、指定された予約録画開始時刻から録画が開始される。時刻補正用放送局が指定されていない場合は、内蔵時計の時刻が不正確であると判定され、指定された予約録画開始時刻の数秒前から録画が開始される。これにより、録画失敗が防止される。
【０００４】
【特許文献１】特許第２９２９７９１号公報
【発明の開示】
【発明が解決しようとする課題】
【０００５】
しかしながら、内蔵時計の補正に時刻補正用放送局の時報を用いているため、番組が変更され時報が放送されなかった場合など、正しく補正が行われない場合がある。また、地上波で受信した時報で内蔵時計の補正を行い、衛星放送の番組を録画する場合などでは、内蔵時計の時刻と放送時刻とには伝送経路差に起因する誤差が発生する。その結果、内蔵時計の時刻と放送時刻に誤差があるにもかかわらず、指定された予約録画開始時刻から録画が開始され、予約録画番組の正確な先頭からの録画が出来ないことになるという問題点があった。
【０００６】
本発明は、上述した点に着目してなされたものであり、内蔵時計に誤差がある場合においても、予約録画によって録画された番組を、その番組の本編開始位置から正確に再生・表示を開始し、本編終了位置で正確に再生・表示を終了することが可能な放送番組記録再生装置を提供することを目的とする。
【課題を解決するための手段】
【０００７】
上記目的を達成するため請求項１に記載の発明は、内蔵時計を有し、該内蔵時計が示す時刻を基に、予約された放送番組のデータストリームを記録媒体に記録する放送番組記録再生装置において、設定された予約録画開始時刻より所定時間早い時刻に録画を開始する予約録画手段と、前記予約録画手段による予約録画実行時に、録画対象のデータストリームに含まれるコマーシャルとコマーシャルとの切り換わり位置、及びコマーシャルと番組本編との切り換わり位置を示すＣＭ境界をそれぞれ検出するＣＭ境界検出手段と、前記予約録画開始時刻に対応する位置に最も近い前記ＣＭ境界を番組本編開始位置と判断し、この位置が前記番組本編開始位置であることを示すチャプタ境界情報を前記データストリームに挿入する位置情報挿入手段と、前記チャプタ境界情報が挿入されたデータストリームを記録する記録手段と、を備えることを特徴とする。
【０００８】
請求項２に記載の発明は、内蔵時計を有し、該内蔵時計が示す時刻を基に、予約された放送番組のデータストリームを記録媒体に記録する放送番組記録再生装置において、設定された予約録画終了時刻より所定時間遅い時刻に録画を終了する予約録画手段と、前記予約録画手段による予約録画実行時に、録画対象のデータストリームに含まれるコマーシャルとコマーシャルとの切り換わり位置、及びコマーシャルと番組本編との切り換わり位置を示すＣＭ境界をそれぞれ検出するＣＭ境界検出手段と、前記予約録画終了時刻に対応する位置に最も近い前記ＣＭ境界を番組本編終了位置と判断し、この位置が前記番組本編終了位置であることを示すチャプタ境界情報を前記データストリームに挿入する位置情報挿入手段と、前記チャプタ境界情報が挿入されたデータストリームを記録する記録手段と、を備えることを特徴とする。
【０００９】
請求項３に記載の発明は、内蔵時計を有し、該内蔵時計が示す時刻を基に、予約された放送番組のデータストリームを記録媒体に記録する放送番組記録再生装置において、設定された予約録画開始時刻より所定時間早い時刻に録画を開始すると共に前記データストリーム内における前記予約録画開始時刻に対応する位置を示す時刻位置情報を記録する予約録画手段と、前記予約録画手段によって録画されたデータストリームの再生時に、再生するデータストリームに含まれるコマーシャルとコマーシャルとの切り換わり位置、及びコマーシャルと番組本編との切り換わり位置を示すＣＭ境界をそれぞれ検出するＣＭ境界検出手段と、前記時刻位置情報を読み出し、この読み出した時刻位置情報から得た前記予約録画開始時刻に対応する位置に最も近い前記ＣＭ境界を番組本編開始位置と判断し、この位置から再生画像の表示を開始する表示開始手段と、を備えることを特徴とする。
【００１０】
請求項４に記載の発明は、内蔵時計を有し、該内蔵時計が示す時刻を基に、予約された放送番組のデータストリームを記録媒体に記録する放送番組記録再生装置において、設定された予約録画開始時刻より所定時間早い時刻に録画を開始すると共に前記データストリーム内における前記予約録画開始時刻に対応する位置を示す時刻位置情報を記録する予約録画手段と、前記予約録画手段によって録画されたデータストリームの再生時に、再生するデータストリームに含まれるコマーシャルとコマーシャルとの切り換わり位置、及びコマーシャルと番組本編との切り換わり位置を示すＣＭ境界をそれぞれ検出するＣＭ境界検出手段と、前記時刻位置情報を読み出し、この読み出した時刻位置情報から得た前記予約録画開始時刻に対応する位置に最も近い前記ＣＭ境界を番組本編開始位置と判断し、この位置が前記番組本編開始位置であることを示すチャプタ境界情報を前記記録媒体に記録する位置情報記録手段と、を備えることを特徴とする。
【００１１】
請求項５に記載の発明は、内蔵時計を有し、該内蔵時計が示す時刻を基に、予約された放送番組のデータストリームを記録媒体に記録する放送番組記録再生装置において、設定された予約録画開始時刻より所定時間遅い時刻に録画を終了すると共に前記データストリーム内における前記予約録画終了時刻に対応する位置を示す時刻位置情報を記録する予約録画手段と、前記予約録画手段によって録画されたデータストリームの再生時に、再生するデータストリームに含まれるコマーシャルとコマーシャルとの切り換わり位置、及びコマーシャルと番組本編との切り換わり位置を示すＣＭ境界をそれぞれ検出するＣＭ境界検出手段と、前記時刻位置情報を読み出し、この読み出した時刻位置情報から得た前記予約録画終了時刻に対応する位置に最も近い前記ＣＭ境界を番組本編終了位置と判断し、この位置で再生画像の表示を終了する表示終了手段と、を備えることを特徴とする。
【００１２】
請求項６に記載の発明は、内蔵時計を有し、該内蔵時計が示す時刻を基に、予約された放送番組のデータストリームを記録媒体に記録する放送番組記録再生装置において、設定された予約録画開始時刻より所定時間遅い時刻に録画を終了すると共に前記データストリーム内における前記予約録画終了時刻に対応する位置を示す時刻位置情報を記録する予約録画手段と、前記予約録画手段によって録画されたデータストリームの再生時に、再生するデータストリームに含まれるコマーシャルとコマーシャルとの切り換わり位置、及びコマーシャルと番組本編との切り換わり位置を示すＣＭ境界をそれぞれ検出するＣＭ境界検出手段と、前記時刻位置情報を読み出し、この読み出した時刻位置情報から得た前記予約録画終了時刻に対応する位置に最も近い前記ＣＭ境界を番組本編終了位置と判断し、この位置が前記番組本編終了位置であることを示すチャプタ境界情報を前記記録媒体に記録する位置情報記録手段と、を備えることを特徴とする。
【発明の効果】
【００１３】
本発明によれば、内蔵時計に誤差がある場合においても、予約録画によって録画された番組を、その番組の本編開始位置から正確に再生・表示を開始し、本編終了位置で正確に再生・表示を終了することが可能となる。
【発明を実施するための最良の形態】
【００１４】
以下本発明の実施の形態を図面を参照して説明する。
（第１の実施形態）
図１は、本発明の第１の実施形態にかかる放送番組記録再生装置の構成を示すブロック図である。この装置は、内蔵時計（図示せず）、再生部１１、再生管理部１２、ユーザ命令入力部１３、システム管理部１４、録画予約管理部１５、録画予約情報蓄積部１６、録画管理部１７、チューナ１８、録画部１９、ＣＭ境界検出部１１０、及び録画データストリーム蓄積部１１１を備えている。ユーザの指示がリモコン１０２などの入力装置を介して、ユーザ命令入力部１３に入力される。システム管理部１４はユーザ命令入力部１３に入力された入力命令の内容を解析し、その解析結果にしたがって、録画管理部１７に対して録画指示、再生管理部１２に対して再生指示、録画予約管理部１５に対して録画予約指示を出す。
【００１５】
録画管理部１７は、システム管理部１４及び録画予約管理部１５からの指示に従い録画部１９に対して録画指示を出す。また、録画管理部１７は、ＣＭ境界検出部１１０で検出されたコマーシャル（以下「ＣＭ」という）とＣＭとの切り換わり位置、及びＣＭと番組本編との切り換わり位置を示すＣＭ境界検出結果を受け取り、受け取ったＣＭ境界検出結果を基に録画データストリーム蓄積部１１１に蓄えられている録画データストリームに対しチャプタ作成を行う。録画部１９は、録画管理部１７からの録画指示に従い、アンテナ１０３及びチューナ１８を介して受信した放送番組を録画データストリーム（例えば、ＭＰＥＧ２−ＴＳ）に変換する。録画データストリーム蓄積部１１１は変換された録画データストリームを保存する。
【００１６】
ＣＭ境界検出部１１０は、録画部１９から入力される録画原映像について、ＣＭとＣＭとの切り換わり位置、及びＣＭと番組本編との切り換わり位置を示すＣＭ境界の検出を行う。ＣＭ境界の検出手法としては、例えば特開平１０−２２４７２２号公報（以下「特許文献２」という）に示されているような、無音区間と映像信号のシーンチェンジ区間とを検出し、これらの検出結果によってＣＭ境界の検出を行なう手法がある。なおＣＭ境界の検出手法はこれに限らずどのような手法を用いても良い。ＣＭ境界検出部１１０で検出されたＣＭ境界検出結果は録画管理部１７へ出力される。
【００１７】
録画予約管理部１５はシステム管理部１４からの指示に従い、録画予約情報を作成し、録画予約情報蓄積部１６に保存する。また、録画予約管理部１５は録画予約情報蓄積部１６に蓄えられた録画予約情報に従い、録画管理部１７に対して録画指示を出し、録画予約情報に従った録画を実行する。
【００１８】
再生管理部１２は、システム管理部１４からの指示に従い、再生部１１に対して再生指示を出す。再生部１１は再生管理部１２の指示に従い、録画データストリーム蓄積部１１１から録画データストリームを取得し、表示モニタ１０１ヘ再生画像を出力する。
【００１９】
図２は第１の実施形態で予約録画を実行するときの処理の流れを示すフローチャートである。処理２１で録画予約情報蓄積部１６に蓄積された録画予約情報の録画開始時刻の所定時間ＴＳ（例えば３０秒）前から録画を開始する。この所定時間ＴＳの録画開始時刻繰り上げは内蔵時計が実際の時刻とずれていても、放送番組本編を確実に録画するために設けた余裕時間である。所定時間ＴＳは、放送番組本編の前後に挿入されるＣＭの放送単位が１５秒であることから、１５秒から３０秒の間の値に設定するようにしてもよい。次に処理２２で、録画が開始された映像に対してＣＭ境界検出を行う。処理２３で、内蔵時計が録画予約情報で指示されている録画終了時刻の所定時間ＴＥ（例えば３０秒）後になったとき録画を終了する。所定時間ＴＥも処理２１と同様に内蔵時計と実際の時刻とのずれを保証する余裕時間であり、固定の数値に限られるものではない。
【００２０】
次に、処理２４では、処理２２で検出されたＣＭ境界のうち、ＣＭと番組本編との間のＣＭ境界を判定する。図３は、録画データストリーム中のＣＭ境界位置を示した図である。同図において、録画データストリームは左端が録画開始時点に対応し、時間の経過とともに右に進み右端が録画の終了時点に対応する。途中に示されている複数の縦の実線が検出したＣＭ境界を表している。
【００２１】
また図４は、図３で示した録画データストリームを番組本編とＣＭ部分に区別した様子を示す図である。同図は、番組本編開始の前に３個のＣＭが存在し、番組本編の中ほどに１個のＣＭが存在し、番組本編終了後に３個のＣＭが存在していることを示している。
【００２２】
さらに、図５は、本実施例によって判定した表示開始チャプタ境界情報と表示終了チャプタ境界情報の挿入位置を説明するための図である。
以下に、表示開始チャプタ境界情報と表示終了チャプタ境界情報の判定方法を説明する。処理２２で検出したＣＭ境界は、無音区間や映像のシーンチェンジ区間を検出して判定されるので、ＣＭと番組本編との間のＣＭ境界のほかに、ＣＭ同士の間のＣＭ境界も検出されてしまう。
【００２３】
従って、本実施例では、内蔵時計によって得られる録画予約で設定された録画開始時刻及び録画終了時刻を参照し、このそれぞれの時刻に最も近い時刻に検出したＣＭ境界をＣＭと番組本編との間のＣＭ境界であると判定する。
【００２４】
図５では、内蔵時計によって得られる録画予約で設定された録画開始時刻を録画開始時刻位置ａで示し、この位置に最も近いＣＭ境界を表示開始チャプタ境界位置Ａとしている。同様に、内蔵時計によって得られる録画予約で設定された録画終了時刻を録画終了時刻位置ｂで示し、この位置に最も近いＣＭ境界を表示終了チャプタ境界位置Ｂとしている。つまり、録画開始時刻位置ａとＣＭから番組本編へ切り換わるＣＭ境界との差分値に対応する時間、及び録画終了時刻位置ｂと番組本編からＣＭへ切り換わるＣＭ境界との差分値に対応する時間、それぞれの時間が、内蔵時計の刻む時刻と絶対時刻との誤差となる。
【００２５】
次に、処理２５で、処理２４で判定された結果を基に、表示開始チャプタ境界情報及び表示終了チャプタ境界情報を録画データストリームに挿入する。
【００２６】
処理２６で、処理２５で表示開始チャプタ境界情報及び表示終了チャプタ境界情報が挿入された録画データストリームを録画データストリーム蓄積部１１１へ出力し、予約録画の処理を終了する。
以上の処理により、録画予約実行時に録画データストリーム上の放送番組本編の表示開始位置及び終了位置にそれぞれ表示開始チャプタ境界情報及び表示終了チャプタ境界情報が挿入される。
【００２７】
再生部１１は予約録画された録画データストリームを再生するときは、表示開始チャプタ境界位置Ａから表示を開始し、表示終了チャプタ境界位置Ｂで表示を終了する。これにより、録画時に内蔵時計と実際の時刻とに誤差があった場合でも、再生時には放送番組本編の正確な開始位置から終了位置までを再生表示することができる。
【００２８】
なお、ＭＰＥＧ２に代表される時間方向圧縮符号化を用いて録画データストリームを作成した場合、表示開始チャプタ境界位置から表示を開始できない場合がある。これはＭＰＥＧ２の復号が正しく行われないためであり、正しく復号できる位置（ＭＰＥＧ２では表示開始チャプタ境界情報が含まれるＧＯＰの先頭）から復号を開始することで、正しい位置から表示を開始することができる。
【００２９】
（第２の実施形態）
図６は本発明の第２の実施形態にかかる放送番組録画再生装置の構成を示すブロック図である。この装置は、内蔵時計（図示せず）、再生部１１、再生管理部６２、ユーザ命令入力部１３、システム管理部１４、録画予約管理部１５、録画予約情報蓄積部１６、録画管理部６７、チューナ１８、録画部１９、ＣＭ境界検出部６１０、及び録画データストリーム蓄積部６１１を備えている。図１に示した符号と同じ符号を付したブロックは、第１の実施形態のブロックと同じ機能を持っている。図１に示した構成とはＣＭ境界検出部６１０の位置が異なっており、ＣＭ境界検出部６１０に関係するブロック（録画データストリーム蓄積部６１１，再生管理部６２，録画管理部６７）の機能が第１の実施形態のものとは異なるため、第１の実施形態とは異なる符号を付している。
【００３０】
ユーザの指示がリモコン１０２などの入力装置を介してユーザ命令入力部１３に入力される。システム管理部１４はユーザ命令入力部１３からの入力命令の内容を解析し、その解析結果にしたがって、録画管理部６７に対して録画指示、再生管理部６２に対して再生指示、録画予約管理部１５に対して録画予約指示を出す。
【００３１】
録画管理部６７は、システム管理部１４及び録画予約管理部１５からの指示に従い録画部１９に対して録画指示を出す。録画部１９は、録画管理部６７からの録画指示に従い、アンテナ１０３及びチューナ１８を介して受信した放送番組を録画データストリーム（例えば、ＭＰＥＧ２−ＴＳ）に変換する。録画データストリーム蓄積部６１１は変換された録画データストリームを保存する。
【００３２】
録画予約管理部１５はシステム管理部１４からの指示に従い、録画予約情報を作成し、録画予約情報蓄積部１６に保存する。また、録画予約管理部１５は録画予約情報蓄積部１６に蓄えられた録画予約情報に従い、録画管理部６７へ録画指示を出し、録画予約情報に従った録画を実行する。
【００３３】
再生管理部６２は、システム管理部１４からの指示に従い、録画データストリーム蓄積部６１１より再生しようとしている放送番組の録画データストリームを取得し、ＣＭ境界検出部６１０へ取得した録画データストリームを出力し、ＣＭ境界検出部６１０に対してＣＭ境界検出指示を出す。さらに、再生管理部６２はＣＭ境界検出部６１０からのＣＭ境界検出情報を基に、再生部１１に再生指示を出す。
【００３４】
ＣＭ境界検出部６１０は、再生管理部６２から入力される録画データストリームについて、ＣＭとＣＭとの切り換わり位置、及びＣＭと番組本編との切り換わり位置を示すＣＭ境界の検出を行う。ＣＭ境界検出部６１０は、第１の実施形態と同様、例えば特許文献２に示されているＣＭ境界検出手法を使用してＣＭ境界検出を行うが、他の手法によりＣＭ境界検出を行ってもよい。ＣＭ境界検出部６１０で検出されたＣＭ境界検出結果は再生管理部６２へ出力される。
【００３５】
再生部１１は再生管理部６２の指示に従い、録画データストリーム蓄積部６１１から録画データストリームを取得し、表示モニタ１０１ヘ再生画像を出力する。
【００３６】
図７は、図６に示す放送番組録画再生装置で予約録画を実行する処理の流れを示すフローチャートである。図２に示す処理２１と同様に、処理７１で録画予約情報蓄積部１６に蓄積された録画予約情報の録画開始時刻の所定時間ＴＳ前から録画を開始する。次に、処理７２で内蔵時計を参考に録画データストリームの録画開始時刻位置に録画開始時刻位置情報を挿入する。この録画開始時刻位置情報は図５に示す録画開始時刻位置ａに対応する。内蔵時計が録画終了時刻になると、処理７３で録画データストリームの録画終了時刻位置に録画終了時刻位置情報を挿入する。この録画終了時刻位置情報は図５に示す録画終了時刻位置ｂに対応する。次に、図２に示す処理２４と同様に、処理７４で内蔵時計が録画予約情報に指示された録画終了時刻の所定時間ＴＥ後になったとき録画を終了する。
【００３７】
なお、図７に示す一連の処理では録画開始時刻位置情報及び録画終了時刻位置情報の挿入処理（処理７２、７３）を録画開始（処理７１）から録画終了（処理７４）の間で行っているが、図８のフローチャートに示すように録画終了（処理８２）の後に録画開始時刻位置情報及び録画終了時刻位置情報の挿入処理（処理８３、８４）を行ってもよい。
【００３８】
図９は、図６に示す装置で録画データストリームの再生を実行するときの処理の流れを示すフローチャートである。処理９１で、録画データストリームに対して順次ＣＭ境界検出を行う。次に処理９２で、処理９１で検出されたＣＭ境界のうち、ＣＭと番組本編との間のＣＭ境界を判定する。この処理は第１の実施形態における処理２４で行う判定と同様の処理であり、図７の処理７２及び７３で挿入した録画開始時刻位置情報及び録画終了時刻位置情報を読み出し、それぞれの時刻に最も近い時刻に検出したＣＭ境界をＣＭと番組本編との間のＣＭ境界であると判定する。
【００３９】
処理９３で、処理９２で判定したＣＭと番組本編との間のＣＭ境界のうち、録画開始時刻位置情報が示す時刻に最も近いＣＭ境界を表示開始チャプタ境界位置として設定し、処理９４で、処理９３で設定した表示開始チャプタ境界位置から録画データストリームの再生画像表示を開始する。
【００４０】
処理９５で、処理９２で判定したＣＭと番組本編との間のＣＭ境界のうち、録画終了時刻位置情報が示す時刻に最も近いＣＭ境界を表示終了チャプタ境界位置として設定し、処理９６で、処理９５で設定した表示終了チャプタ境界位置にて再生画像表示を終了する。
【００４１】
以上の処理により、録画時に内蔵時計と実際の録画時刻とに誤差があった場合でも、放送番組本編の正しい開始位置から終了位置までの再生画像を表示することができる。
【００４２】
なお、処理９２は録画データストリーム全体に対してのＣＭ境界を検出する処理９１の処理が終わることを待つ必要は無く、処理９１が終わった録画データストリーム部分に対して順次判定を行ってもよい。処理９３についても、録画データストリーム全体に対する処理９２の処理が終わることを待つ必要は無く、処理９２により録画開始時刻位置近辺の放送番組本編が確定した時点で処理を行ってもよい。処理９５についても、処理９２により録画終了時刻位置近辺の放送番組本編が確定した時点で処理を行ってもよい。
【００４３】
また、処理７２、処理７３、処理８３、処理８４において、録画開始時刻位置情報及び録画終了時刻位置情報を挿入する代わりに録画データストリーム上の位置を示すメタデータを作成し、処理９３及び処理９５で設定する表示開始チャプタ境界位置及び表示終了チャプタ境界位置の代わりに前記メタデータを使用してもよい。
【００４４】
なお、ＭＰＥＧ２などの時間方向圧縮符号化を用いた録画データストリームの再生不具合への対処方法は第１の実施形態と同じである。
【００４５】
以上説明したように、本実施形態は、予約録画時刻の前後に余裕を持たせて予約録画を行い、前記予約録画で得られた録画データストリームに対してＣＭ境界検出を行い、検出したＣＭ境界と読み出された録画開始時刻位置情報及び録画終了時刻位置情報を基にＣＭと番組本編との間のＣＭ境界を判定し、前記判定結果を基に表示開始位置及び表示終了位置を設定し、前記表示開始位置及び表示終了位置を用いて再生画像表示を行うようにしたので、内蔵時計に誤差がある場合においても予約録画番組本編を適切に再生することができる。
【００４６】
（第３の実施形態）
上述した第１の実施形態では、予約録画開始時刻より所定時間ＴＳ前から録画を開始し、予約録画終了時刻より所定時間ＴＥ経過後に録画を終了し、録画開始時点から録画終了時点までの全データストリームについて、ＣＭ境界検出を行うようにしたが、これに代えて、図１０に示すように、予約録画開始時刻ｔＳより所定検出時間ＴＤ前から予約録画開始時刻ｔＳまでの期間、及び予約録画終了時刻ｔＥから所定検出時間ＴＤ経過するまでの期間をそれぞれ第１ＣＭ境界検出範囲及び第２ＣＭ境界検出範囲とし、第１ＣＭ境界検出範囲内でＣＭ境界が検出されたときに、そのＣＭ境界位置に表示開始チャプタ境界情報を挿入し、第２ＣＭ境界検出範囲内でＣＭ境界が検出されたときに、そのＣＭ境界位置に表示終了チャプタ境界情報を挿入するようにしてもよい。所定検出時間ＴＤは、ＣＭの放送単位が１５秒であることを考慮し、例えば１０秒から１５秒未満の値に設定する。
これにより、所定時間ＴＳの期間内で、真の本編開始時点ではないＣＭ境界に表示開始チャプタ境界情報を挿入する可能性、及び所定時間ＴＥの期間内で、真の本編終了時点ではないＣＭ境界に表示終了チャプタ境界情報を挿入する可能性を低減することができる。
【図面の簡単な説明】
【００４７】
【図１】本発明の第１の実施形態にかかる放送番組録画再生装置の構成を示すブロック図である。
【図２】第１の実施形態において予約録画を実行するときの処理のフローチャートである。
【図３】放送番組録画で作成される録画データストリームを説明するための図である。
【図４】図３で示した録画データストリームを番組本編とＣＭ部分に区別した様子を示す図である。
【図５】第１の実施形態において作成される表示開始チャプタ及び表示終了チャプタについて説明するための図である。
【図６】本発明の第２の実施形態にかかる放送番組録画再生装置の構成を示すブロック図である。
【図７】第２の実施形態において予約録画を実行するときの処理のフローチャートである。
【図８】第２の実施形態において予約録画を実行するときの処理のもう一つのフローチャートである。
【図９】第２の実施形態において録画データストリームが再生される場合の処理のフローチャートである。
【図１０】第３の実施形態における第１ＣＭ境界検出範囲及び第２ＣＭ境界検出範囲について説明するための図である。
【符号の説明】
【００４８】
１１  再生部
１２，６２  再生管理部（表示開始手段、表示終了手段）
１３  ユーザ命令入力部
１４  システム管理部（位置情報挿入手段、位置情報記録手段）
１５  録画予約管理部（予約録画手段）
１６  録画予約情報蓄積部
１７，６７  録画管理部（記録手段）
１８  チューナ
１９  録画部
１１０，６１０  ＣＭ境界検出部（ＣＭ境界検出手段）
１１１，６１１  録画データストリーム蓄積部（記録手段）
【図１】
2008060654.tif 000003
【図２】
2008060654.tif 000004
【図３】
2008060654.tif 000005
【図４】
2008060654.tif 000006
【図５】
2008060654.tif 000007
【図６】
2008060654.tif 000008
【図７】
2008060654.tif 000009
【図８】
2008060654.tif 000010
【図９】
2008060654.tif 000011
【図１０】
2008060654.tif 000012